(57)【要約】【課題】互いに印刷特性が異なる複数のプリンタに対しても、ＩＤカードの券面に対し正確な外字印字が行えるようにする。【解決手段】支部Ａで作成された個人情報に外字が含まれている場合、支部Ａで当該個人情報をＩＤカードに印刷する際には、フォントＤＢ１３１ａから当該外字に対応する外字コードをキーに検索したプリント手段１３１に固有の外字フォントイメージを用いて印刷し、支部ＡでＩＣメモリに記録する際には、当該外字に対応する外字フォントイメージを用いて記録する。特に、個人情報の外字が外字フォントイメージだけの場合、当該外字フォントイメージを、支部ＡのフォントＤＢ１２ａに格納されている各外字フォントイメージとの間でパターンマッチングを行って支部Ａにおける外字コードの何れに該当するかを判定する。【選択図】図１
2005141446.tif 000002
【特許請求の範囲】
【請求項１】
会員が所属する複数の支部毎に、該会員のＩＤ番号を含む個人情報及び顔画像を保存すると共に発行・更新申請に応じてＩＣメモリ内蔵のＩＤカードを作成するカード作成システムが、ネットワークを介して相互にデータの送受信が可能に接続されて成るカード発行システムにおいて、
前記カード作成システムは、
会員の個人情報及び顔画像に基づいて前記ＩＤカードを作成するカード作成装置と、
所属会員の個人情報を当該個人情報に含まれる外字に対応する外字フォントイメージ及び外字コードと共に保存し、入力されたＩＤ番号による個人情報取得要求に応じて、該ＩＤ番号に対応する個人情報を、当該個人情報に含まれている外字に対応する外字フォントイメージ及び外字コードと共に当該要求元に送信するホストコンピュータと、
前記ホストコンピュータに対して前記個人情報取得要求を行うと共に当該取得要求する個人情報に係る会員の顔画像を撮影し、当該顔画像を、当該個人情報取得要求に応じて前記ホストコンピュータから送信された個人情報と共にカード作成装置に送信する撮影装置と、
を備え、
前記カード作成装置は、
前記送信された個人情報及び顔画像に基づいてＩＤカードを作成する際、当該個人情報を、前記送信された外字コードに対応する自装置用の外字フォントイメージを用いて前記ＩＤカードの券面に印刷すると共に前記送信された外字フォトイメージを用いて当該ＩＤカードのＩＣメモリに記録することを特徴とするカード発行システム。
【請求項２】
外字フォントイメージと外字コードとが互いに関連付けて格納されているフォントＤＢ（Data Base）を更に備え、
前記ホストコンピュータは、
前記個人情報が他の支部のカード作成システムから送信された場合、当該個人情報に含まれている外字フォントイメージを、前記フォントＤＢに格納された外字フォントイメージとの間でパターンマッチングを行い、当該他の支部から送信された個人情報に含まれている外字フォントイメージに対応する外字コードを前記フォントＤＢに格納された外字コードの中から特定し、当該特定した外字コードと当該他の支部から送信された個人情報に含まれている外字フォントイメージとを、この個人情報と共に前記撮影装置に出力することを特徴とする請求項１に記載のカード発行システム。
【請求項３】
前記ホストコンピュータは、
前記パターンマッチングの結果、前記他の支部のカード作成システムから送信された個人情報に含まれている外字フォントイメージが前記フォントＤＢに格納された外字コードの何れにも対応していない場合には、当該他の支部のカード作成システムから送信された個人情報を、この外字フォントイメージと共に前記撮影装置に出力し、
前記カード作成装置は、
前記撮影装置を介して送信された個人情報及び顔画像に基づいてＩＤカードを作成する際、当該個人情報を、前記送信された外字フォントイメージを用いて、前記ＩＤカードの券面に印刷すると共に当該ＩＤカードのＩＣメモリに記録することを特徴とする請求項２に記載のカード発行システム。
【請求項４】
会員が所属する複数の支部毎に、該会員のＩＤ番号を含む個人情報及び顔画像を保存すると共に発行・更新申請に応じてＩＣメモリ内蔵のＩＤカードを作成するカード作成システムがネットワークを介して接続されて成るカード発行システムを用いたカード発行方法において、
入力されたＩＤ番号による個人情報取得要求に応じて、該ＩＤ番号に対応する個人情報を、当該個人情報に含まれている外字に対応する外字フォントイメージ及び外字コードと共に送信するステップと、
前記送信された個人情報に基づいてＩＤカードを作成する際、当該個人情報を、前記送信された外字コードに対応する自装置用の外字フォントイメージを用いて前記ＩＤカードの券面に印刷すると共に前記送信された外字フォトイメージを用いて当該ＩＤカードのＩＣメモリに記録するステップと、
を含むことを特徴とするカード発行方法。
【請求項５】
前記カード作成装置が、外字フォントイメージと外字コードとが互いに関連付けて格納されているフォントＤＢ（Data Base）を備える場合、
前記個人情報が他の支部のカード作成システムから送信された場合、当該個人情報に含まれている外字フォントイメージを、前記フォントＤＢに格納された外字フォントイメージとの間でパターンマッチングを行い、当該他の支部から送信された個人情報に含まれている外字フォントイメージに対応する外字コードを前記フォントＤＢに格納された外字コードの中から特定し、当該特定した外字コードと当該他の支部から送信された個人情報に含まれている外字フォントイメージとを、この個人情報と共に送信するステップを更に含むことを特徴とする請求項４に記載のカード発行方法。
【請求項６】
前記パターンマッチングの結果、前記他の支部のカード作成システムから送信された個人情報に含まれている外字フォントイメージが前記フォントＤＢに格納された外字コードの何れにも対応していない場合には、当該他の支部のカード作成システムから送信された個人情報を、この外字フォントイメージと共に送信するステップと、
前記送信された個人情報に基づいてＩＤカードを作成する際、当該個人情報を、前記送信された外字フォントイメージを用いて、前記ＩＤカードの券面に印刷すると共に当該ＩＤカードのＩＣメモリに記録することを特徴とする請求項５に記載のカード発行方法。
【発明の詳細な説明】
【技術分野】
【０００１】
本発明は、社員証等のＩＣメモリ内蔵のＩＤカードを更新するカード発行システム及びカード発行方法に関する。
【背景技術】
【０００２】
本部（例えば、本社等。）及び複数の支部（例えば、支社等。）によって成る様々な団体会員の身分証（例えば、社員証等。）としてＩＣ内蔵のＩＤカードが普及しつつある。このような団体の各支部はカード作成システムを備え、会員は、自身が所属する支部や地域（所属支部という。）のカード作成システムによって作成されたＩＤカードを所有する。また、ＩＤカードの更新は、所属支部のカード作成システムにより行われるが、所属外支部のＩＤカード作成システムによっても実施可能である。
【０００３】
所属外支部のカード作成システムによりＩＤカードを発行したり更新したりする場合、支部毎に外字コードの割り当てが異なっている場合があるので、外字を正確に印字できないという不都合が生じる可能性がある。このため、外字の印字に対しては、外字コードによらず、外字のフォントイメージを用いる技術が考案されている（例えば、特許文献１、２を参照。）。
【特許文献１】特開２００２―２４４４１号公報
【特許文献２】特開２００２―７６０４号公報
【発明の開示】
【発明が解決しようとする課題】
【０００４】
しかし、上記従来の技術には以下のような問題点がある。
すなわち、同一のカード作成システムにおいても、各種メーカー製のプリンタが採用されている場合があるが、このような場合、プリンタの印刷特性によっては、同一のフォントイメージであっても、プリンタ毎に異なる形状や色（つぶれたり、かすれたり等。）にプリント出力される等、正確な外字印字の実施が困難となり、文字品質の低下を招くこととなる。
【０００５】
本発明の課題は、互いに印刷特性が異なる複数のプリンタに対しても、ＩＤカードの券面に対し正確な外字印字が行えるようにすることである。
【課題を解決するための手段】
【０００６】
上記課題を解決するため、請求項１記載の発明は、
会員が所属する複数の支部毎に、該会員のＩＤ番号を含む個人情報及び顔画像を保存すると共に発行・更新申請に応じてＩＣメモリ内蔵のＩＤカードを作成するカード作成システムが、ネットワークを介して相互にデータの送受信が可能に接続されて成るカード発行システムにおいて、
前記カード作成システムは、
会員の個人情報及び顔画像に基づいて前記ＩＤカードを作成するカード作成装置と、
所属会員の個人情報を当該個人情報に含まれる外字に対応する外字フォントイメージ及び外字コードと共に保存し、入力されたＩＤ番号による個人情報取得要求に応じて、該ＩＤ番号に対応する個人情報を、当該個人情報に含まれている外字に対応する外字フォントイメージ及び外字コードと共に当該要求元に送信するホストコンピュータと、
前記ホストコンピュータ１２に対して前記個人情報取得要求を行うと共に当該取得要求する個人情報に係る会員の顔画像を撮影し、当該顔画像を、当該個人情報取得要求に応じて前記ホストコンピュータから送信された個人情報と共にカード作成装置に送信する撮影装置と、
を備え、
前記カード作成装置は、
前記送信された個人情報及び顔画像に基づいてＩＤカードを作成する際、当該個人情報を、前記送信された外字コードに対応する自装置用の外字フォントイメージを用いて前記ＩＤカードの券面に印刷すると共に前記送信された外字フォトイメージを用いて当該ＩＤカードのＩＣメモリに記録することを特徴とする。
【０００７】
更に、請求項２に記載の発明のように、請求項１に記載の発明において、
外字フォントイメージと外字コードとが互いに関連付けて格納されているフォントＤＢを更に備え、
前記ホストコンピュータは、
前記個人情報が他の支部のカード作成システムから送信された場合、当該個人情報に含まれている外字フォントイメージを、前記フォントＤＢに格納された外字フォントイメージとの間でパターンマッチングを行い、当該他の支部から送信された個人情報に含まれている外字フォントイメージに対応する外字コードを前記フォントＤＢに格納された外字コードの中から特定し、当該特定した外字コードと当該他の支部から送信された個人情報に含まれている外字フォントイメージとを、この個人情報と共に前記撮影装置に出力するのが好ましい。
【０００８】
更に、請求項３に記載の発明のように、請求項２に記載の発明において、
前記ホストコンピュータは、
前記パターンマッチングの結果、前記他の支部のカード作成システムから送信された個人情報に含まれている外字フォントイメージが前記フォントＤＢに格納された外字コードの何れにも対応していない場合には、当該他の支部のカード作成システムから送信された個人情報を、この外字フォントイメージと共に前記撮影装置に出力し、
前記カード作成装置は、
前記撮影装置を介して送信された個人情報及び顔画像に基づいてＩＤカードを作成する際、当該個人情報を、前記送信された外字フォントイメージを用いて、前記ＩＤカードの券面に印刷すると共に当該ＩＤカードのＩＣメモリに記録するのが好ましい。
【０００９】
また、上記課題を解決するため、請求項４に記載の発明は、
会員が所属する複数の支部毎に、該会員のＩＤ番号を含む個人情報及び顔画像を保存すると共に発行・更新申請に応じてＩＣメモリ内蔵のＩＤカードを作成するカード作成システムがネットワークを介して接続されて成るカード発行システムを用いたカード発行方法において、
入力されたＩＤ番号による個人情報取得要求に応じて、該ＩＤ番号に対応する個人情報を、当該個人情報に含まれている外字に対応する外字フォントイメージ及び外字コードと共に送信するステップと、
前記送信された個人情報に基づいてＩＤカードを作成する際、当該個人情報を、前記送信された外字コードに対応する自装置用の外字フォントイメージを用いて前記ＩＤカードの券面に印刷すると共に前記送信された外字フォトイメージを用いて当該ＩＤカードのＩＣメモリに記録するステップと、
を含むことを特徴とする。
【００１０】
更に、請求項５に記載の発明のように、請求項４に記載の発明において、
前記カード作成装置が、外字フォントイメージと外字コードとが互いに関連付けて格納されているフォントＤＢを備える場合、
前記個人情報が他の支部のカード作成システムから送信された場合、当該個人情報に含まれている外字フォントイメージを、前記フォントＤＢに格納された外字フォントイメージとの間でパターンマッチングを行い、当該他の支部から送信された個人情報に含まれている外字フォントイメージに対応する外字コードを前記フォントＤＢに格納された外字コードの中から特定し、当該特定した外字コードと当該他の支部から送信された個人情報に含まれている外字フォントイメージとを、この個人情報と共に送信するステップを更に含むのが好ましい。
【００１１】
更に、請求項６に記載の発明のように、請求項５に記載の発明において、
前記パターンマッチングの結果、前記他の支部のカード作成システムから送信された個人情報に含まれている外字フォントイメージが前記フォントＤＢに格納された外字コードの何れにも対応していない場合には、当該他の支部のカード作成システムから送信された個人情報を、この外字フォントイメージと共に送信するステップと、
前記送信された個人情報に基づいてＩＤカードを作成する際、当該個人情報を、前記送信された外字フォントイメージを用いて、前記ＩＤカードの券面に印刷すると共に当該ＩＤカードのＩＣメモリに記録するのが好ましい。
【発明の効果】
【００１２】
したがって、互いに印刷特性が異なる複数のカード作成装置のプリンタに対しても、プリンタ毎に好適なフォントイメージが選択されるので、プリンタの印刷特性によらず、常に高品質な外字印字が可能となる。
【発明を実施するための最良の形態】
【００１３】
図１を参照してカード発行システム１００の構成について説明する。
ここで、カード発行システム１００は、本部（例えば、本社等。）と複数の支部（例えば、支社等。）とから成る所定団体が発行する図示しないＩＤカード（例えば、社員証等。）を発行・更新するためのものである。当該団体によって認可された会員（例えば、社員等。）は、それぞれ、一つの支部に所属し、このような所属支部からＩＤカードが身分証明書として発行される。
【００１４】
また、このＩＤカードは、ＩＣメモリを内蔵し、このＩＣメモリに種々の個人情報(ＩＤ番号、氏名、年齢、性別、登録開始日時、住所、有効期限、所属、ペナルティ等。)や顔画像等が電子データとして記録される。ＩＤカードの券面には個人情報（或いはその一部）や顔画像が印刷される。
【００１５】
また、ＩＤカードのＩＣメモリに記録された個人情報に外字が含まれている場合、当該外字は外字フォントイメージとしてＩＣメモリに記録されているものとする。
【００１６】
カード発行システム１００は、支部Ａのカード作成システム１０や支部Ｂのカード作成システム２０等が支部毎にネットワークＮを介して複数接続されて成る。なお、実際には、カード作成システム１０やカード作成システム２０等を統括的に管理する本部システムがネットワークＮに接続されているが、説明簡略化のため、図示及び説明を省略する。
【００１７】
カード作成システム１０は、撮影装置１１、ホストコンピュータ１２、カード作成装置１３等がＬＡＮ（Local Area Network）を介して相互に接続されている。なお、カード作成システム２０の内部構成についてはカード作成システム１０と同一であり、簡略化のため、図示及び説明を省略する。
【００１８】
撮影装置１１は、ＩＤカードの発行又は更新申請者の顔画像を撮影し、当該顔画像を電子データに変換する。
【００１９】
撮影装置１１は、図示しないＯＣＲ（Optical Character Reader）やキーボード等の入力装置を備え、これらＯＣＲやキーボード等を介して申請者のＩＤ番号等が入力される。当該入力されたＩＤ番号等は、ホストコンピュータ１２に送信される。
【００２０】
撮影装置１１は、ホストコンピュータ１２から送信された個人情報（外字が含まれている場合には、当該外字の外字フォントイメージ及び外字コードを含む。）をカード作成装置１３に送信する。
【００２１】
なお、撮影装置１２は、ＩＤカードのＩＣメモリからデータを読み取るための図示しないＩＣメモリ読取装置を備えてもよい。
【００２２】
ホストコンピュータ１２は、カード作成システム１０を統括的に制御するものであり、他の支部（ここでは、支部Ｂ。）のホストコンピュータ（図示略。）との間でデータの送受信を行う（図２のステップＳ１０ｂを参照。）。
【００２３】
ホストコンピュータ１２は、支部Ａに所属する会員の個人情報等を記録するためのデータベース（図示略。）を備える。
【００２４】
ホストコンピュータ１２は、ＩＤカードの券面に印刷する個人情報に外字が含まれている場合、当該個人情報が支部Ａにおいて作成された場合には、当該外字に対応する外字フォントイメージと外字コードとをフォントＤＢ１２ａから読み出して撮影装置１１に送信し、個人情報がカード作成システム２０等の他の支部から送信されたものである場合には、個人情報と共に送信された外字フォントイメージと、支部ＡのフォントＤＢ１２ａに格納されている各外字フォントイメージとの間でパターンマッチングを行って当該送信された外字フォントイメージの外字が支部Ａにおける外字コードの何れに該当するかを判定し、当該判定した支部Ａの外字コード及び外字フォントイメージを撮影装置１１に送信する。
【００２５】
また、ホストコンピュータ１２は、ＩＤカードのＩＣメモリから読み取った個人情報をプリントするような場合、この個人情報に外字フォントイメージが含まれていると、当該外字フォントイメージと、支部ＡのフォントＤＢ１２ａに格納されている各外字フォントイメージとの間でパターンマッチングを行って当該ＩＣメモリから読み出された外字フォントイメージの外字が支部Ａにおける外字コードの何れに該当するかを判定し、当該判定した支部Ａの外字コードをカード作成装置１３に送信する。
【００２６】
ホストコンピュータ１２は、フォントＤＢ１１ａを備え、外字フォントイメージと外字コードとを対応付けて格納する。
【００２７】
カード作成装置１３は、ＩＤカードの券面に個人情報（或いはその一部）や顔画像等を印刷するためのプリント手段１３１と、ＩＤカードのＩＣメモリに対し個人情報、顔画像、電子署名等の各種データを記録するためのＩＣメモリ記録手段１３２とを備える。
【００２８】
プリント手段１３１は、各外字コードに対応したプリント手段１３１に固有のフォントイメージを格納するフォントＤＢ１３１ａを備える。フォントＤＢ１３１ａにおける外字コードと、ホストコンピュータ１２が具備するフォントＤＢ１２ａにおける外字コードとは同一のものである（同一の外字を表す。）。
【００２９】
次に、図２を参照して、カード発行システム１００によって行われるカード発行・更新申請処理について説明する。
撮影装置１１からＩＤ番号が入力され、個人情報の照会がホストコンピュータ１２に送信されると（ステップＳ１０ａ）、ホストコンピュータ１２は、当該ＩＤ番号が、支部Ａに所属する会員のものであるか否かを判定する。
【００３０】
前記入力されたＩＤ番号が支部Ａに所属する会員のものである場合には、ホストコンピュータ１２は、当該ＩＤ番号に該当する個人情報（或いは更新された個人情報）を撮影装置１１に送信する。この場合、この個人情報に外字が含まれている場合、ホストコンピュータ１２は、当該外字に対応する外字フォントイメージと外字コードとをフォントＤＢ１２ａから検索し、個人情報と共に撮影装置１１に送信する（ステップＳ１１）。
【００３１】
ＩＤ番号が支部Ａに所属する会員のものでない場合には、ホストコンピュータ１２は、当該ＩＤ番号の会員が所属する支部のホストコンピュータ（図示略。）に対し個人情報の送信依頼を行い、当該送信依頼に応じて当該会員の個人情報（外字が含まれる場合、当該外字に対応する外字フォントイメージが含まれる。）が送信されると（ステップＳ１０ｂ）、当該送信された外字フォントイメージと、支部ＡのフォントＤＢ１２ａに格納されている外字フォントイメージとの間でパターンマッチングを行って当該送信された外字フォントイメージの外字が支部Ａにおける外字コードの何れに該当するかを判定し、当該判定した支部Ａの外字コードと当該送信された外字フォントイメージとを撮影装置１１に送信する（ステップＳ１１）。
【００３２】
その後、撮影装置１１は、ステップＳ１１の段階でホストコンピュータ１２から送信された個人情報（外字コード及び外字フォントイメージを含む。）を、予め撮影した顔画像と共に、カード作成装置１３に送信する（ステップＳ１２）。
【００３３】
カード作成装置１３では、撮影装置１１から送信された個人情報（或いはその一部）や顔画像が、プリント手段１３１によりＩＤカードの券面に印刷され、ＩＣメモリ記録手段１３２によりこのＩＤカードのＩＣメモリに記録される。
【００３４】
プリント手段１３１は、ＩＤカードの券面に印刷する個人情報（或いはその一部）に外字が含まれている場合、当該外字に対応する外字コード（個人情報と共に撮影装置１１から送信済み。）をキーに、プリント手段１３１に固有の外字フォントイメージをフォントＤＢ１３１ａから検索し、当該検索した外字フォントイメージを用いて印刷する。また、ＩＣメモリ記録手段１３２は、ＩＣメモリに記録する個人情報に外字が含まれている場合、当該外字に対応する外字フォントイメージ（個人情報と共に撮影装置１１から送信済み。）を外字としてＩＣメモリに記録する。
【００３５】
なお、ホストコンピュータ１２は、支部Ａ以外の他の支部から送信された外字フォントイメージと、支部ＡのフォントＤＢ１２ａに格納されている外字フォントイメージとの間でパターンマッチングを行った結果、当該送信された外字フォントイメージの外字が支部Ａにおける外字コードの何れにも該当しない場合、当該送信された外字フォントイメージを撮影装置１１を介してカード作成装置１３に送信し、カード作成装置１３は、当該送信された外字フォントイメージを用いて個人情報や顔画像をＩＤカードの券面に印刷する。
【００３６】
以上説明したように、カード発行システム１００では、支部Ａで作成された個人情報に外字が含まれている場合、支部Ａで当該個人情報をＩＤカードに印刷する際には、フォントＤＢ１３１ａから当該外字に対応する外字コードをキーに検索したプリント手段１３１に固有の外字フォントイメージを用いて印刷し、支部ＡでＩＣメモリに記録する際には、当該外字に対応する外字フォントイメージを用いて記録する。特に、個人情報の外字が外字フォントイメージだけの場合、当該外字フォントイメージを、支部ＡのフォントＤＢ１２ａに格納されている各外字フォントイメージとの間でパターンマッチングを行って支部Ａにおける外字コードの何れに該当するかを判定する。
【００３７】
従って、互いに印刷特性が異なる複数のプリント手段１３１に対しても、プリント手段１３１毎に好適なフォントイメージが用いられるので、プリント手段１３１の印刷特性によらず、常に高品質な外字印字が可能となる。
【００３８】
なお、本実施の形態における記述は、本発明に係るカード発行システム及びカード発行方法の一例を示すものであり、これに限定されるものではない。本実施の形態におけるカード発行システム１００の細部構成および詳細動作に関しては、本発明の趣旨を逸脱しない範囲で適宜変更可能である。
【図面の簡単な説明】
【００３９】
【図１】本発明を適用したカード発行システムの構成を示す図である。
【図２】本発明を適用したカード発行システムによって行われるカード発行・更新処理を説明するための図である。
【符号の説明】
【００４０】
１０  カード作成システム
１１  撮影装置
１２  ホストコンピュータ
１２ａ  フォントＤＢ
１３  カード作成装置
１３１  プリント手段
１３１ａ  フォントＤＢ
１３２  ＩＣメモリ記録手段
２０  カード作成システム
１００  カード発行システム
Ｎ  ネットワーク
【図１】
2005141446.tif 000003
【図２】
2005141446.tif 000004